(57)【特許請求の範囲】
【請求項１】
所定用量吸入のためのポンプであって、非加圧状態の容器から有効成分の所定用量を受けるための有効成分入口と、その有効成分入口に対し入口バルブを通して連通する所定用量の室と、その所定用量の室に対し出口バルブを通して連通するスプレイ出口と、前記所定用量の室に出入りするプランジャとを備え、
前記非加圧状態の容器から前記ポンプに前記所定用量を引き出し、前記所定用量を加圧し、その所定用量を前記ポンプから前記スプレイ出口を通して人の呼吸器系に送るためのポンプであって、前記プランジャを出入りさせるために次のＡ、Ｂ、ＣおよびＤをさらに備えるポンプ。
Ａ  ポンプのハウジングの外側に引き出すように操作可能なコックア−ムであり、ハウジングの外に出たコックア−ム操作部分およびそのコックア−ム操作部分から伸びハウジングの中に位置するブロック部分を含み、コックア−ムにハウジングの内側へ向かう力を与えるコックア−ムばねを付属し、そのコックアームばねの力により前記プランジャを前記所定用量の室に入り込ませるコックア−ム
Ｂ  ポンプのハウジングの外から押すように操作可能であり、しかも、前記コックア−ムに対して交差するトリガ−であり、ハウジングの外に出たトリガ−操作部分およびそのトリガ−操作部分から伸びハウジングの中に位置するシャフト部分を含み、トリガ−にハウジングの外に向かう力を与えるトリガ−ばねを付属するトリガ−
Ｃ  前記トリガ−と前記プランジャとを連結するリンクであり、前記トリガ−が前記トリガ−ばねによりハウジングの外に伸びることに応じて、プランジャを所定用量の室から出すように機能するリンク
Ｄ  前記コックア−ムのブロック部分と前記シャフト部分とは、前記コックアームおよび前記トリガーの両者を互いにロック状態あるいはロック解除状態にすることができ、前記コックアームが前記コックア−ムばねによってハウジング側に押された通常状態のとき、前記ブロック部分が前記前記トリガー側をロックし、また一方、前記コックア−ムをハウジングの外側に引くと、そのブロック部分によるロックが解除され、前記トリガ−は前記トリガ−ばねによって外に伸び、その伸びた状態で前記ブロック部分が前記トリガ−およびコックア−ムを相互にロックし、さらにまた、前記ハウジングの外に伸びたトリガ−をハウジングの内側に向けて押し込むとき、前記トリガ−と前記コックア−ムとのロックが解除され、それにより、前記コックア−ムは前記コックア−ムばねの力によって前記プランジャを所定用量の室に押す
【請求項２】
前記所定用量の室は、前記所定用量とほぼ同じ体積をもつ、請求項１のポンプ。
【請求項３】
前記プランジャは、前記所定用量の室から出る動きをするとき、前記所定用量の室の中を真空にし、前記入口バルブを開いて前記非加圧状態の容器から前記所定用量の室の中に前記有効成分を引き入れる、請求項１のポンプ。
【請求項４】
前記入口バルブは、弾性材料からなる、請求項３のポンプ。
【請求項５】
前記弾性材料は、シリコンゴムである、請求項４のポンプ。
【請求項６】
前記プランジャは、前記所定用量の室に入り込む動きをするとき、前記所定用量の室を加圧し、前記出口バルブを開いて前記所定用量の室から前記スプレイ出口を通して前記有効成分の前記所定用量を吐き出す、請求項１のポンプ。
【請求項７】
前記出口バルブは、弾性材料からなる、請求項６のポンプ。
【請求項８】
前記弾性材料は、シリコンゴムである、請求項７のポンプ。
【請求項９】
前記入口バルブは、径方向外側に張り出した複数のフィンをもつ円柱形の本体を備え、前記有効成分が前記非加圧状態の容器から前記所定用量の室の中に引き入れられるとき、前記有効成分は前記複数のフィンの間を通る、請求項１のポンプ。
【請求項１０】
前記出口バルブは、第１の径をもつ円柱形の本体と、その円柱形の本体から伸びる円柱形の部分とを含み、その円柱形の部分は、前記第１の径よりも大きな第２の径をもち、しかも、長さ方向に走る単一のチャネルをもち、前記有効成分を前記所定用量の室から前記人の呼吸器系に送るとき、前記有効成分が前記単一のチャネルを通る、請求項１のポンプ。
【請求項１１】
前記請求項１のポンプのほか、前記人の口に対し大きさおよび形が適合するマウスピースをさらに備え、前記スプレイ出口を通してそのマウスピースから前記人の呼吸器系に前記所定用量を送る、所定用量吸入装置。
【請求項１２】
前記マウスピースは、前記所定用量吸入装置のハウジングの中に回転し納まる、請求項１１の所定用量吸入装置。
【請求項１３】
前記所定用量吸入装置の中に非加圧状態の容器を包み込むためのカバーをさらに備える、請求項１１の所定用量吸入装置。
【請求項１４】
前記カバーは、透明な部分を含み、それによって前記容器の中に残る所定用量の量を視覚的に調べることができる、請求項１３の所定用量吸入装置。
【請求項１５】
前記コックア−ムのブロック部分は、Ｕ形のチャネルをもつ、請求項１のポンプ。
【請求項１６】
前記リンクは、Ｌ形である、請求項１のポンプ。
【請求項１７】
前記非加圧状態の容器は、前記ハウジングの外部に位置する、請求項１のポンプ。
【請求項１８】
前記ハウジングの内部にバルブブロックがあり、そのバルブブロックの内部に、前記所定量の室ならびに前記入口バルブおよび前記出口バルブがある、請求項１のポンプ。
【発明の詳細な説明】
【０００１】
発明の背景
１．発明の分野
この発明は、所定用量（計量した用量）を吸入する装置、特に、薬を入れる加圧容器が不要な所定用量吸入ポンプに関する。
【０００２】
２．関連技術の簡単な説明
所定用量吸入装置は、たとえば喘息のようないろいろな呼吸器疾患の治療に使うために、商業的に利用されている。そのような所定用量吸入装置は、一般に、所定用量の薬を人の呼吸器系に届けるために、薬を加圧するシリンダあるいは容器が必要である。これらの加圧シリンダあるいは容器の中には、推進剤（プロペラント）に溶解させたり、あるいは微粒子化した固体形態で推進剤中に浮遊させた有効成分とともに、推進剤としてハロゲン化した炭化水素がある。
【０００３】
たとえばＵＳＰ第４，９５５，３７１号は、使い捨ての吸入装置として、薬の一定量を放出するためにエアゾル容器によって短時間のスプレイを行うようにしている。しかし、エアゾル容器中のハロゲン化した炭化水素は、環境問題の点で好ましいことではない。ＵＳＰ第４，５３４，３４５号は、加圧した推進剤容器から分離した形態で薬の有効成分を投薬する投薬ユニットを備えた投薬吸入器を示している。加圧容器の中には、液化し加圧した二酸化炭素が含まれる。どちらの場合でも、投薬される薬といっしょに、推進剤が人の呼吸器系に放出される。
【０００４】
そこで、加圧した推進剤を用いることなく、所定量の有効成分を与えることができる所定用量吸入装置が求められる。これらおよび他の問題を軽減するために、この発明では、所定用量の有効成分を人の呼吸器系に対し加圧し供給する所定用量吸入ポンプを提供することを目的とする。
【０００５】
発明のサマリー
前記の目的および他の有益な目的がこの発明によって達成される。この発明の所定用量吸入ポンプは、薬の有効成分を非加圧状態の容器から所定用量の室に引き入れる有効成分入口と、有効成分を所定用量の室から人の呼吸器系に届けるスプレイ出口とを備える。入口には第１のバルブがあり、出口には第２のバルブがある。所定用量の室は、第１のバルブと第２のバルブとの間にあり、両バルブに連通している。ばねで付勢されたトリガーがプランジャを所定用量の室の中に付勢し、第１のバルブを閉じ第２のバルブを開き、その所定用量の室を満たしたり空にしたりする。それによって、所定用量の有効成分を所定用量の室から出口を通して人の呼吸器系に送る。
【０００６】
好適な実施例の詳細な説明
いわゆる当業者であれば、添付の図１〜７を見ることによって、この発明を理解することができるであろう。個々の参照符号は、複数の図に対して同一あるいは同様のものを付けてある。
【０００７】
図１は、所定用量吸入ポンプ（あるいは、所定用量吸入装置）１０の正面からの斜視図である。所定用量吸入ポンプ１０は、有効成分の入口１４をもつハウジング１２と、スプレイノズル１６、トリガー１８およびコックトリガー３２とを含む。ハウジング１２は、第１の半シェル２２と第２の半シェル２４とを含むシェル形態である。第１の半シェル２２と第２の半シェル２４との内部構造は、以下に説明するとおり面対称である。第１の半シェル２２と第２の半シェル２４とは、超音波接合によって結合される。第１の半シェル２２と第２の半シェル２４とは、適当な材料によって作ることができる。しかし、プラスチック材料は、軽量であり加工しやすいという特性から好適である。
【０００８】
カバー１２４が、ハウジング１２上にピン１３２回りに回転可能に支持されている。所定用量吸入装置１０のユーザはカバー１２４を開閉し、有効成分の入口１４を選択的に露出し、図示しない有効成分を入れた容器を入れることができる。カバー１２４については、透明なプラスチック材料で作るか、透明な窓を付けることによって、ユーザが有効成分容器中に残存する薬の量を視覚的に把握できるようにする。マウスピース１２６をハウジング１２に対しピン１３４回りに回転可能に取り付ける。マウスピース１２６は、人の口腔に入り、くちびると密に結合し、人の呼吸の呼息、吸息に応じるような大きさおよび形にする。また、マウスピース１２６を人の鼻腔にはまり合うようにすることもできる。マウスピース１２６の本体には鋸歯状の切り込みを入れ、マウスピース１２６をピン１３４の回りに回転しやすくする。ハウジング１２にポケット１３０を設けることによって、マウスピース１２６を閉じた位置（状態）に回転することができ、そのとき、図２に示すマウスピース１２６の上部表面がハウジング１２と同じ高さになる。カバー１２４およびマウスピース１２６の両方が閉じた状態になるとき、所定用量吸入装置１０はコンパクトになり、容易に持ち運びおよび収容することができ、しかも、マウスピース１２６および有効成分の入口１４を汚染および物理的な損傷から守ることができる。
【０００９】
さて、図２を見ると、第１の半シェル２２の内部構造が詳しく示されている。第１の半シェル２２の内部構造の説明は、必然的に第２の半シェル２４の内部構造を示すことになる。第２の半シェル２４が第１の半シェル２２と面対称であるからである。第１の半シェル２２には、トリガーチャネル（通路）５６、リング部材チャネル６０、バルブチャネル６２、入口チャネル６４および出口チャネル６６を区画する壁部材があり、それぞれトリガー１８、リンク２６、バルブブロック３８、有効成分入口１４およびスプレイ出口１６を受け入れている。
【００１０】
トリガー１８はトリガーチャネル５６を通りハウジング１２の内部に入っている。トリガー１８は、シャフト部分８８、シャフト部分８８の基部のボタン部分８６およびシャフト部分８８の末端のばねガイド７６を備える。コイルばね６８が、トリガー１８をハウジング１２の外側へ付勢するよう、より詳しくは、ボタン部分８６を開口７４から外へ付勢するように設けられている。ばね６８の一端はトリガーチャネルの隠れた端部に向かっており、他端はトリガー１８の末端に突き出たばねガイド７６によって支持されている。ばねガイド７６によって、ばね６８は適正な方向を維持している。リップ８０がシャフト部分８８のほぼ末端近くに設けられ、トリガーチャネル５６の止め金９０にかみ合い、ばね６８の作用に逆らってトリガー１８をハウジング１２の内部に保っている。
【００１１】
次に、図４を見ると、トリガー１８のそれ以上の構造が詳しく示されている。図４はトリガー１８の平面図であり、シャフト部分８８に幅の狭いステップ部分９２があり、そのステップ部分はボタン部分８６から延びている。ボタン部分８６は、ほぼ四角の形である。ボタン部分８６はどんな形でも良いことが理解されるであろう。チャネル５０が、ステップ部分９２とリップ８０の間であって、シャフト８８の長さ方向のほぼ中央に設けられている。チャネル５０は、下記するとおりコックアーム３０を受け入れるために設けられる。トリガー１８は、適当な材料ならどんなものでも作ることができる。しかし、トリガー１８の材料としてはプラスチックが好適である。プラスチック材料は、比較的に軽量であり、加工しやすいからである。
【００１２】
図５に目を移すと、コックアーム３０の構造が詳しく示されている。コックアーム３０はコックアームチャネル５８の内部に配置され、それ自体は、ブロック部分９４と、ブロック部分９４からヘッド部分９８まで延びるシャンク部分９６とを備える。ヘッド部分９８には、内部にねじ孔１００がある。そのねじ孔１００は、ねじ３６を受け入れ、チャネル５８を通してハウジング１２からヘッド部分９８を突出させるためのものである。ヘッド部分９８の直径はシャンク部分９６のそれよりも大きく、それによって、ヘッド部分９８はコックアーム３０がハウジング１２に完全には入らないようにする。ヘッド部分９８はコックアーム３０と一体に作ることもできるし、あるいは、ヘッド部分９８を別に作り、シャンク部分９６の端部にねじで止めることができる。ブロック部分９４の幅については、ブロック部分９４がトリガー１８のチャネル５０の中にスライド可能にはまり合うように設定される。ブロック部分９４には、ほぼＵ形のチャネル１０２があり、そのチャネル１０２によって、下記するとおりトリガー１８がコックアーム３０に対して垂直にスライドするようになっている。コックアーム３０は、適当な材料で作ることができる。しかし、コックアーム３０の材料としては、その材料特性および加工特性の点から、アルミニウムあるいはその合金が好適である。
【００１３】
再び図２に目を移すと、コイルばね３４がシャンク部分９６の長さ方向に配置されている。コイルばね３４の一端はブロック部分９４（図５に示す）に当たり、コイルばね３４の他端はコックチャネル５８の端部に当たっている。コイルばね３４は、図１に示すように、コックアーム３０をハウジング１２の内方に付勢するように作用する。シャンク９６の基端部には、内側にねじ孔１００があり、そのねじ孔１００にねじ３６を入れ、そこにコックトリガー３２を取り付けるようになっている。
【００１４】
リンク２６がハウジング１２内のリンクチャネル６０に配置されている。第１の半シェル２２に孔（図示しない）があり、リンク２６にはピン２８を受け入れる孔１０４があり、リンク２６はピン２８の回りに回転可能である。リンク２６は、第１の脚部５２と第２の脚部５４とをもち、ほぼＬ形である。各脚部５２，５４には、プランジャ２０の座（シート）７８およびトリガー１８のステップ部分９２をそれぞれ受け入れるためのＵ形のチャネルがある。リンクは、それに合った適当な材料で作ることができるが、その材料としては、その材料特性および加工特性の点から、アルミニウムあるいはその合金が好適である。
【００１５】
プランジャ２０はほぼ円柱形の部材であり、その長さ方向には座（シート）７８が配置されている。プランジャ２０の末端部分はシャンク１０６、プランジャ２０の基端部分はヘッド１０８であり、それらシャンク１０６とヘッド１０８とは、座（シート）７８によって分けられている。プランジャ２０は一体に作ることもできるし、また、座（シート）７８を別に作り、それをシャンク１０６上に取り付けることもできる。プランジャ２０は、何種類かの適当な材料で作ることができるが、その材料としては、材料特性および加工特性の点からステンレス鋼あるいはその合金が好適である。シャンクチャネル１１４については、シール４６の要求に適うだけの良好な表面仕上げにすべきである。
【００１６】
次に、図３に目を移すと、バルブブロック３８の内部構造が詳しく示されている。バルブブロック３８はハウジング１２のバルブチャネル６２の内部に入れられ、それによってその位置が定まっている。バルブブロック３８には、プランジャ２０のシャンク部分１０６を受け入れるためのシャンクチャネル１１４と、入口バルブチャネル１１０と、出口バルブチャネル１１２と所定用量の室４４とがある。シャンク１０６の長さ方向の座（シート）にシール４６が設れられ、そのシール４６は、シャンク１０６と所定用量の室４４との間を液密にシールする。入口バルブチャネル１１０の中には入口バルブ４０が設けられ、出口バルブチャネル１１２の中には出口バルブ４２が設けられる。入口バルブ４０には、入口バルブチャネル１１０と実質的に同一径のほぼ円柱形状の本体１２０と円錐形の先端部とがある。図６は、入口バルブ４０の好適な形状を示している。複数のフィン４８が、入口バルブ４０の本体１２０の周りに設けられている。入口バルブ４０は、何種類かの材料で作ることができるが、液密なシールを確保するために弾性材料で作るのが良い。特には、入口バルブ４０の材料として、シリコンゴム（シリコンエラストマー）が最適である。入口バルブ４０がもつ弾性は、入口バルブ４０をシール部材およびばねの両方として機能させる。入口バルブ４０には複数のフィン４８があり、それらのフィン４８によって、入口バルブ４０は入口バルブチャネル１１０の中心に位置し、しかもまた、各フィン４８の間に低い抵抗での液の流れが確保される。
【００１７】
図７は、出口バルブ４２の好適な形状を示している。出口バルブ４２には、出口バルブチャネル１２２と実質的に同一径のほぼ円柱形状の本体１３６と、円錐形の先端部１３８とがある。また、出口バルブ４２は、円柱形状の本体１３６よりも大きな径をもつ円柱形状の部分１４０を備える。大きな径の部分１４０には、スプレイノズル１６の部分に保持する有効成分の量をできるだけ少なくするために、チャネル１４２を一つだけ設けてある。単一のチャネル１４２は、また、気泡の発生および有効成分の蒸発を防ぐ。
【００１８】
所定用量の室４４は、入口バルブチャネル１１０、出口バルブチャネル１１２およびシャンクチャネル１１４と連通し、出口バルブチャネル１１２は、スプレイ出口１６と連通し、そして、入口バルブチャネル１１０は、有効成分の入口１４と連通している。入口アダプタ１１６がバルブブロック３８と有効成分の入口１４との間に設けられ、それらの間に流体の流れができるようになっている。バルブブロック３８に対し、直接スプレイノズル１６がつながっている。入口アダプタ１１６については、薬剤リザーバと流れの連通がとれるかぎり、いろいろな設計態様をとることができる。入口アダプタ１１６の中のねじ１４６は、有効成分の容器（図示しない）を受け入れるためのものである。その容器を入口アダプタ１１６にねじ込むとき、中の針１４４が容器のカラーに刺さる。
【００１９】
次に、所定用量吸入ポンプ１０の作用について詳しく説明しよう。有効成分の入口１４については、それに対し有効成分の容器を接続して、所定用量の室４４に有効成分を送ることができるかぎり、いろいろな設計態様をとることができる。所定用量吸入ポンプ１０が通常状態にあるとき、トリガー１８は一杯に押し下げた位置にあり、コックアーム３０のブロック部分９４によってそうした位置に保持される。通常状態のとき、プランジャ２０のシャンク部分１０６は、コックアーム３０のブロック部分９４によってバルブブロック３８内に追い立てられている。それによって、座（シート）７８を所定用量吸入ポンプ１０を使用可能な状態に位置させ、ばね３４の作用力に抗してコックトリガー３２を外側に引っ張ることによって、コックアーム３０をハウジング１２の外側に引く。コックアーム３０のＵ形のチャネル１０２が、トリガー１８のシャフト部分８８と垂直になるとき、ばね６８によってトリガー１８はハウジング１２の外へコックアーム３０の動きと直交するように動く。トリガー１８が一杯に伸びると、Ｕ形のチャネル１０２とシャフト部分８８のチャネル５０との相互作用により、トリガー１８およびコックアーム３０はそれ以上外へ動くことがなくなる。トリガー１８がばね６８によって外側に伸びるにつれて、図２の斜視図に示すように、脚部５４に作用するトリガー１８のステップ部分９２によって、リンク２６はピン２８の回りを反時計方向に回転する。引き続き、前記したリンク２６の回転によって、脚部５２が座７８に作用し、プランジャ２０をバルブブロック３８から外へ動かす。プランジャ２０の外への動きによって、所定用量の室４４、入口バルブチャネル１１０および出口ノズル１６の中が真空状態になる。この真空の状態によって、入口バルブ４０および出口バルブ４２は両方ともに所定用量の室４４に向かって内側に追いやられる。出口バルブ４２の円錐形の先端部は、所定用量の室４４と出口バルブチャネル１１２との間に区画される開孔壁に向かって動く。それによって、所定用量の室４４と出口バルブチャネル１１２との間の流れをシール（遮断）し、スプレイ出口１６から所定用量の室４４内に空気、他のガスあるいは流体が入り込むのを防ぐ。
【００２０】
さらに、真空状態になることによって、有効成分の容器（図示しない）から入口１４、入口アダプター１１６および入口バルブチャネル１１０を通して所定用量の室４４内へ有効成分を引き込む。入口バルブ３８に複数のフィン４８があるために、入口バルブ３８より先に有効成分を引き込むことになる。所定用量の室４４の中に引き込む有効成分の総量は、プランジャ２０のシャンク１０６が動いた分の体積に等しい。したがって、そうした体積の移動分（置換分）は、所定用量吸入ポンプ１０において、所望の用量分の体積に等しく設定される。
【００２１】
所定用量吸入ポンプ１０に前記したように有効成分が詰め込まれると、所定用量吸入ポンプ１０は、所定用量の有効成分を人の呼吸器系に届ける準備ができる。トリガー１８を押し込むことによって、チャネル５０がブロック部分９４と整列し、コックアーム３０をバルブブロック３８に向かって内側にスライドさせることができる。そのようなとき、ブロック部分９４はばね３４によってプランジャ２０のヘッド１０８の方へ追いやられ、また、図２の斜視図に示すように、リンク２６はピン２８の回りを時計方向に回転する。プランジャ２０のヘッド１０８に向かって押されるブロック部分９４は、プランジャ２０のシャンク１０６を押し、それによって、所定用量の室４４、入口バルブチャネル１１０および出口ノズル１６を加圧する。そのような加圧によって、所定用量の室４４に対し、入口バルブ４０および出口バルブ４２が外に動く力を受ける。入口バルブ４０の円錐形の先端部は、出口ノズル１６に向かって力を受けて流れを遮断するようになり、それによって、有効成分が有効成分の入口１４から噴出しないようにする。
【００２２】
プランジャ２０が所定用量の室４４内に押されると、有効成分を所定用量の室４４から出口ノズル１６を通して押しやり、有効成分を人の呼吸器系に届ける。出口ノズル１６の寸法については、出口ノズルが吸入処理に適した大きさの粒子（たとえばその大きさは３〜６ミクロン）を送ることができるようにすることが理解されるであろう。出口バルブ４２のチャネル１４２によって、有効成分は出口バルブ４２よりも先に送られる。操作する人の呼吸器系に送られる有効成分の量は、シャンク１０６の作用によって置換される所定用量の室４４の体積に等しい。所定用量の室４４の径は、プランジャ２０のシャンク１０６の径と実質的に同じである。そのため、シャンク１０６が内側に動くとき、所定用量の室４４を実質的に満たしかつその中を空にする。そして、所定用量の室４４、入口バルブチャネル１１０あるいは出口ノズル１６内にほとんど空所を残すことがない。
【００２３】
以上のように、この発明によれば、前記した目的および利点を最も効果的に得る。ここでは、この発明の好適な実施例の一つを示し詳しく述べたが、それによってこの発明が限定されるわけではなく、この発明の範囲は、添付の請求の範囲の内容によって定まる。
【図面の簡単な説明】
【図１】この発明による所定用量吸入ポンプの正面から見た斜視図である。
【図２】その所定用量吸入ポンプの正面からの断面図である。
【図３】その所定用量吸入ポンプのバルブブロックの正面からの断面図である。
【図４】その所定用量吸入ポンプのトリガーの平面図である。
【図５】その所定用量吸入ポンプのコックアームの正面図である。
【図６】その所定用量吸入ポンプの入口バルブの斜視図である。
【図７】その所定用量吸入ポンプの出口バルブの斜視図である。
【符号の説明】
１０  所定用量吸入ポンプ（所定用量吸入装置）
１２  ハウジング
１４  有効成分入口
１６  スプレイノズル（スプレイ出口）
１８  トリガー
２０  プランジャ
２６  リンク
３０  コックアーム
３２  コックトリガー
３４  コイルばね
３８  バルブブロック
４０  入口バルブ
４２  出口バルブ
４４  所定用量の室
４８  フィン
５６  トリガーチャネル
５８  コックアームチャネル
６０  リンクチャネル
６４  入口チャネル
６６  出口チャネル
６８  コイルばね
７８  座（シート）
１１０  入口バルブチャネル
１１２  出口バルブチャネル
１２０  本体
１２４  カバー
１２６  マウスピース
１３６  本体
１４０  部分
１４２  単一のチャネル
【図１】
0003633870.tif 000002
【図２】
0003633870.tif 000003
【図３】
0003633870.tif 000004
【図４】
0003633870.tif 000005
【図５】
0003633870.tif 000006
【図６】
0003633870.tif 000007
【図７】
0003633870.tif 000008